【手続補正書】
【提出日】平成29年7月11日(2017.7.11)
【手続補正１】
【補正対象書類名】特許請求の範囲
【補正対象項目名】全文
【補正方法】変更
【補正の内容】
【特許請求の範囲】
【請求項１】
土壌処理事業者を管理するためのシステムであって、
土壌処理剤を高圧下で土壌中に注入するように動作可能な注入装置と、
前記注入装置に関連付けられ、前記注入装置の動作中にデータを収集するように構成された制御システムと、
前記注入装置制御システムによって収集された前記データを受信するように構成されたデータ管理システムであって、前記収集されたデータを記憶するためのデータベースを備え、前記収集されたデータを確認するために前記事業者によってアクセス可能である、データ管理システムと、を備え、
前記データ管理システムは、さらに、前記事業者によって提供され、且つ前記注入装置に関連付けられたデータを受信するように構成され、前記提供されたデータは、作業現場において前記注入装置によって適用される土壌処理に関連付けられた少なくとも一つの作業命令を含む、土壌処理を管理するためのシステム。
【請求項２】
前記データ管理システムは、前記注入装置制御システムと遠隔通信するように構成される、請求項1に記載のシステム。
【請求項３】
前記データ管理システムは、さらに、少なくとも一つのプロセッサであって、前記注入装置制御システムによって収集された前記データに少なくとも部分的に基づいて、前記土壌処理剤の少なくとも一つの特性を決定するように構成される、プロセッサを備える、請求項1に記載のシステム。
【請求項４】
前記収集されたデータは、前記注入装置によって実行された注入回数と、前記装置によって送達された活性成分の量と、前記装置によって送達された土壌処理剤の量と、前記装置が前記土壌処理剤を注入した土壌のタイプと、前記装置が前記注入を実行するように動作されたときの圧力と、前記注入装置を用いて土壌処理を完了するために必要とされる時間と、の一つ以上を含む、請求項1に記載のシステム。
【請求項５】
前記注入装置に関連付けられた前記制御システムは、前記少なくとも一つの作業命令を受信するように構成され、さらに、前記制御システムによって受信された作業命令が無い場合は前記注入装置の動作をさせないように構成される、請求項1に記載のシステム。
【請求項６】
前記データ管理システムは、さらに、少なくとも一つのプロセッサを備え、該プロセッサは、単一の作業命令及び複数の作業命令の一つ以上に対して前記装置によって実行された合計注入回数と、単一の作業命令及び複数の作業命令の一つ以上に対して前記装置によって送達された活性成分の総量と、単一の作業命令及び複数の作業命令の一つ以上に対して前記装置によって送達された土壌処理剤の総量と、前記装置によって処理された作業現場の総数と、各作業命令に対する前記装置の動作時間と、全ての作業命令に対する前記装置の累積動作時間と、の一つ以上を、前記収集されたデータに基づいて装置ごとに決定するように構成される、請求項1に記載のシステム。
【請求項７】
前記少なくとも一つのプロセッサは、前記収集されたデータ及び提供されたデータに基づいて、前記注入装置に対して、1作業現場あたりの平均注入回数と、1作業現場あたりの送達された活性成分の平均量と、1作業現場あたりの送達された土壌処理剤の平均量と、各作業命令を完了するための平均時間と、の一つ以上を決定するように構成される、請求項6に記載のシステム。
【請求項８】
前記提供されたデータは、前記土壌処理剤が各対応する作業命令に対して施剤されるべき前記作業現場のリニアフィートをさらに含み、前記少なくとも一つのプロセッサは、1リニアフィートあたりの平均注入回数と、1リニアフィートあたりの送達された活性成分の平均量と、1作業現場あたりの平均リニアフィートと、の一つ以上を決定するようにさらに構成される、請求項7に記載のシステム。
【請求項９】
前記データ管理システムは、前記事業者に対象の期間を示すデータを含み、前記少なくとも一つのプロセッサは、前記期間中に完了した単一の作業命令及び複数の作業命令の一つ以上に対して前記装置によって実行された合計注入回数と、前記期間中に完了した単一の作業命令及び複数の作業命令の一つ以上に対して前記装置によって送達された活性成分の総量と、前記期間中に完了した単一の作業命令及び複数の作業命令の一つ以上に対して前記装置によって送達された土壌処理剤の総量と、前記期間中に前記装置によって処理された作業現場の総数と、前記期間中に完了した各作業命令に対する前記装置の動作時間と、前記期間中に完了した全ての作業命令に対する前記装置の累積動作時間と、の一つ以上を決定するように動作可能である、請求項6に記載のシステム。
【請求項１０】
複数の前記注入装置及び複数の制御システムを備え、各制御システムは、対応する注入装置に関連付けられ、前記データ管理システムは、前記対応する注入装置の動作に応答して、各制御システムによって収集されたデータを受信するために各制御システムと通信するように構成され、前記少なくとも一つのプロセッサは、前記収集されたデータに基づいて、全ての装置によって実行された合計注入回数と、全ての装置によって送達された活性成分の総量と、全ての装置によって送達された土壌処理剤の総量と、全ての装置によって処理された作業現場の総数と、の一つ以上を決定するように構成される、請求項6に記載のシステム。
【請求項１１】
前記少なくとも一つのプロセッサは、前記収集されたデータ及び提供されたデータに基づいて、1作業現場あたりの平均注入回数と、1作業現場あたりの送達された活性成分の平均量と、1作業現場あたりの送達された土壌処理剤の平均量と、各作業命令を完了するための平均時間と、の一つ以上を決定するように構成される、請求項10に記載のシステム。
【請求項１２】
前記注入装置から分離した低圧施剤ツールであって、前記注入装置が動作されるときの圧力より実質的に低い圧力下で前記土壌上及び前記土壌内の一つ以上に土壌処理剤を施剤するように動作可能な低圧施剤ツールをさらに備え、前記制御システムは、前記低圧施剤ツールの動作にさらに関連付けられ、前記低圧施剤ツールの動作中にデータを収集するようにさらに構成され、前記少なくとも一つのプロセッサは、前記収集されたデータ及び提供されたデータに基づいて、前記注入装置及び低圧施剤ツールの動作の合計時間数と、前記注入装置の動作の合計時間数と、前記低圧施剤ツールの動作の合計時間数と、動作した合計時間数とメンテナンス、検査、及び較正の一つ以上がその後推奨される所定時間数との間の相違と、の一つ以上を決定するように構成される、請求項10に記載のシステム。
【請求項１３】
前記データ管理システムは、1)前記収集されたデータを前記制御システムから前記データ管理システムに転送するために、前記注入装置制御システムに配線接続されることと、2)前記収集されたデータを前記制御システムから前記データ管理システムに転送するために、前記注入装置制御システムに取外し可能に配線接続するように構成されることと、3)前記収集されたデータを含む輸送可能なデータ記憶媒体を前記制御システムから受け入れるように構成されることと、の一つを満たす、請求項1に記載のシステム。
【請求項１４】
リース契約を管理するためのリース管理システムであって、前記リース契約に従って土壌処理システムが前記土壌処理システムの所有者によって土壌処理事業者にリースされ、前記土壌処理システムは、活性成分を土壌に施剤するように動作可能な施剤ツールを備え、前記リース管理システムは、
前記施剤ツールに関連付けられ、前記施剤ツールの動作中にデータを収集するように構成された制御システムと、
データ管理システムと、を備え、該データ管理システムは、1)前記所有者から前記施剤ツールをリースしている前記土壌処理事業者の識別を少なくとも含む所有者提供データと、2)作業現場において実行されるべき土壌処理のための作業命令を少なくとも含む事業者提供データと、を受信するように構成され、前記作業命令に従って前記作業現場において前記土壌処理を実行する際に前記施剤ツールによって収集された前記データを受信するために前記施剤ツールの前記制御システムと通信するように構成され、少なくとも一つのプロセッサであって、前記事業者提供データ及び前記施剤ツール制御システムによって収集された前記データの一つ以上の関数として、前記所有者によって前記事業者に課される使用料を決定するように構成される、プロセッサを含む、リース管理システム。
【請求項１５】
前記データ管理システムによって受信された前記所有者提供データは、複数のリース期間ごとに前記所有者によって前記事業者に課されるリース料を少なくともさらに含み、前記データ管理システムの前記少なくとも一つのプロセッサは、前記リース料及び前記使用料の関数として、前記所有者によって前記事業者に課される合計料金を決定するように構成される、請求項14に記載のシステム。
【請求項１６】
前記データ管理システムによって受信された前記事業者提供データは、複数の作業命令を含み、各作業命令は、作業現場において前記施剤ツールを用いて実行される土壌処理のためのものであり、前記データ管理システムは、各作業命令に従って各作業現場において各土壌処理を実行する際に前記施剤ツールによって収集された前記データを受信するために、前記施剤ツールの前記制御システムと通信するように構成され、前記データ管理システムの前記少なくとも一つのプロセッサは、前記作業命令の全てに従って前記施剤ツールを動作させるために前記所有者によって前記事業者に課される合計使用料を決定するように構成される、請求項14に記載のシステム。
【請求項１７】
前記事業者提供データは、請求対象期間を含み、前記少なくとも一つのプロセッサは、前記請求対象期間内で、作業命令に従って適用された土壌処理に従って前記施剤を操作するために前記所有者によって前記事業者に課される合計使用料を決定するように構成される、請求項16に記載のシステム。
【請求項１８】
前記事業者提供データは、さらに、前記作業命令に従って作業現場において処理された領域の全リニアフィートを含み、前記データ管理システムの前記少なくとも一つのプロセッサは、前記作業現場において処理された領域の前記全リニアフィートの関数として少なくとも部分的に、前記使用料を決定するように構成される、請求項14に記載のシステム。
【請求項１９】
複数の施剤ツールは、前記施剤ツール所有者によって前記土壌処理事業者にリースされることがあり、前記所有者提供データは、各施剤ツールに対して少なくともアセット識別をさらに含み、前記データ管理システムは、各施剤ツールの前記制御システムと通信するように構成されて対応する作業命令に従ってそれぞれの作業現場においてそれぞれの土壌処理を実行する際に前記それぞれの施剤ツールによって収集されたデータを受信し、前記データ管理システムは、前記事業者によってリースされた各施剤ツールに関連付けられた収集されたデータを表示することと、前記事業者によってリースされた各施剤ツールに関連付けられた収集されたデータをダウンロードすることと、の一つ以上のために、前記事業者によってアクセス可能である、請求項14に記載のシステム。
【請求項２０】
前記所有者提供データは、前記施剤ツール上で実行されるメンテナンスを示すデータを少なくともさらに含み、前記データは、1)メンテナンススケジュールと、2)次回の予定されるメンテナンスの日付と、3)前記施剤ツール上で実行されているメンテナンスの状態と、の一つ以上を含むメンテナンスを示し、前記データ管理システムは、メンテナンスを示す前記データにアクセスするために前記事業者によってアクセス可能である、請求項14に記載のシステム。